(57)【要約】      （修正有）【課題】円弧状の天井部を有する屋内空間部をネット等の吊張体で最適に区画分け又は防球用として吊り張りすることができ、且つその変更も容易に行うことのできるネット等の吊張体の吊張方法及びその吊張装置を提供する。【解決手段】屋内施設に設けられたネット等の吊張体５を天井側に張設したウインチワイヤー３の移動で吊り張り設置する吊張体の吊り張り方法において、前記ウインチワイヤーを天井の円弧部に沿って天頂部と該天頂部からの距離に応じて調整しながら移動することで吊張体を吊り張り及び収納することであり、装置としては、前記ウインチワイヤーが天頂部と該天頂部からの距離に応じて複数設けられ、且つ各ウインチワイヤーには天頂部と該天頂部からの距離に応じて長さを調整する調整手段を介してウインチ４に設けられている。【選択図】図１
2007044454.tif 000002
【特許請求の範囲】
【請求項１】
屋内施設に設けられたネット等の吊張体を天井側に張設したウインチワイヤーの移動で吊り張り設置する吊張体の吊り張り方法において、前記ウインチワイヤーを天井の円弧部に沿って天頂部と該天頂部からの距離に応じて調整しながら移動することで吊張体を吊り張り及び収納することを特徴とするネット等の吊張体の吊張方法。
【請求項２】
前記ウインチワイヤーをウインチ部分で調整しながら吊張体を吊り張り及び収納する請求項１に記載のネット等の吊張体の吊張方法。
【請求項３】
屋内施設に設けられたネット等の吊張体と、該吊張体を吊り張りするウインチワイヤーと、該ウインチワイヤーを天井の円弧部に沿って移動するウインチとから構成された吊張体の吊り張り装置において、前記ウインチワイヤーが天頂部と該天頂部からの距離に応じて複数設けられ、且つ各ウインチワイヤーには天頂部と該天頂部からの距離に応じて長さを調整する調整手段を介してウインチに設けられていることを特徴とするネット等の吊張体の吊張方法。
【発明の詳細な説明】
【発明の技術分野】
【０００１】本発明は、例えば雨天時等において野球の練習場等の球技用として使用する大空間部を有する屋内施設を使用目的に応じて区画、間仕切りするためネット、シート体、又は緞帳を吊り張りするのに使用するネット等の吊張体の吊り張り方法及びその吊り張り装置に関する。
【技術背景】
【０００２】近年、天候に左右されることなく使用することを目的として大きな空間部を有する屋内施設が各地で建設されている。主な施設としては、野球の練習場として使用する屋根付き雨天練習場、野球の試合又は各種イベントを開催するのに使用する屋根付き球場（通称、ドーム球場という）等である。
これらの屋内施設は使用目的、例えば、野球の練習の効率化（内野外野の連携練習と打撃練習等に分ける場合等）を図るための間仕切り用、テニス、バスケット等のコートの間仕切りする場合、又は球技における防球用（観客席への球の飛び込み防止、又は隣り合うコートでの球の飛び込み防止等）として安全性を確保する場合に、ネット又はシートを用いて屋内空間部を複数に区切って使用している。
この区切り用のネット又はシートは、一般に屋内施設の天井側又は周辺部に設けられた固定式のネット又はシートと、不要の際に収納可能な移動式のネット又はシートを組み合わせて構成された移動式ネット又はシートとから構成されている。
また、各種イベントに使用する場合は、架設ステージを設け該ステージに緞帳を設けて使用している。
【０００３】上記移動式ネット又はシートに使用する装置としては、特許第３５０７９４９号等が開発されている。
【０００４】この装置の構成の概略を説明すると、屋内施設の円弧状の天井側に沿って設けられたウインチワイヤーと、該ウインチワイヤー駆動するウインチと、前記ウインチワイヤーに沿って設けられたガイドワイヤーと、該ガイドワイヤーに設けられたネット等の吊張体とから構成されている。
そしてその作用は、ウインチの駆動で天井側に沿ってウインチワイヤー駆動してガイドワイヤーに設けられたネット等の吊張体を該ガイドワイヤーに沿って移動することで、空間部を区画（間仕切り）する。
【０００５】また、ウインチワイヤーに複数の吊り上げワイヤーを設け、該吊り上げワイヤーにネット等の吊張体を設けた装置（特許第３５１３６１７号）等が使用されている。
【０００６】また、緞帳に関しては、特公昭６３−１３７１４号の緞帳装置や、実開昭６２−１４８１８１号の繰上げカーテン昇降紐具等が考えられた。
これらの一般的な構成は、ウインチを設けて緞帳等に設けられたワイヤーを移動して巻き取りリールにワイヤーを巻き取る構成である。
【発明が解決しようとする課題】
【０００７】しかしながら、上記従来の装置においては、複数の吊り上げワイヤーをウインチワイヤーに設けているために、ウインチワイヤーにネット等の吊張体の自重がかかりスムーズな移動に問題があった。
【０００８】また、ガイドワイヤーを用いる方式はその構造が複雑となりメンテナンスの面で欠点があった。
【０００９】また、緞帳においては複数のウインチを設けて吊り上げる方式を使用しているが、あくまで上部側が水平であるために吊り上げる方式そのものは簡易な構成である。
【００１０】そこで、本発明は、円弧状の天井部を有する屋内空間部をネット等の吊張体で最適に区画分け又は防球用として吊り張りすることができ、且つその変更も容易に行うことのできるネット等の吊張体の吊張方法及びその吊張装置を提供することを目的とする。
【課題を解決するための手段】
【００１１】本発明は、上記目的を達成するために、屋内施設に設けられたネット等の吊張体を天井側に張設したウインチワイヤーの移動で吊り張り設置する吊張体の吊り張り方法において、前記ウインチワイヤーを天井の円弧部に沿って天頂部と該天頂部からの距離に応じて調整しながら移動することで吊張体を吊り張り及び収納することを特徴とする。
【００１２】また、ウインチワイヤーをウインチ部分で調整しながら吊張体を吊り張り及び収納することである。
【００１３】また装置としては、屋内施設に設けられたネット等の吊張体と、該吊張体を吊り張りするウインチワイヤーと、該ウインチワイヤーを天井の円弧部に沿って移動するウインチとから構成された吊張体の吊り張り装置において、前記ウインチワイヤーが天頂部と該天頂部からの距離に応じて複数設けられ、且つ各ウインチワイヤーには天頂部と該天頂部からの距離に応じて長さを調整する調整手段を介してウインチに設けられていることを特徴とする。
【作用及び効果】
【００１４】屋内施設の広いスペースを複数に区画（間仕切り）するため、又は屋内の球技時の防球用として使用するネット等の吊張体を吊張する場合において、円弧状の天井側に沿って複数のウインチワイヤーを設け、該ウインチワイヤーを天井側より吊り張りし、該ウインチワイヤーに吊張体を設ける。
【００１５】その状態で、ウインチを駆動することでウインチワイヤーを移動してネット等の吊張体を吊り張りして屋内施設を区画（間仕切り）する。
【００１６】前記ウインチワイヤーは、天井の円弧部に沿って天頂部と該天頂部からの距離に応じて調整して設けられているために、ウインチを駆動することで吊張体を吊り張り及び収納することをできる。
【００１８】この際、天頂部と該天頂部からの距離の調整は、ウインチワイヤーの調整をウインチ側に設けられた調整手段で行うことも可能であり、また、複数のウインチを使用してそれぞれのウインチを駆動することで複数のウインチワイヤーを連動して移動すべく構成することも可能である。
【００１９】このように、本発明はウインチワイヤーの長さ、移動距離等を自由に調整することができるので、メンテナンスが容易であり、且つスムーズな移動を可能とする。
【００２０】また、装置の簡易化を図ることができるので、、装置全体のメンテナンスの回数を極力押さえることができる。
【実施の形態】
【００２１】本発明のネット等の吊張体の吊張装置は、下記の図面沿って説明する。
【００２２】図１は、本発明の実施例でネット等の吊張体の吊張装置全体を示す概略説明図であり、図２本発明の第２の実施例でネット等の吊張体の吊張装置全体を示す概略説明図である。
【００２３】先ず第１の実施例について説明する。本装置のネット吊張り装置１は、屋内空間部の円弧状の天井部分取り付けられた滑車２を介して設けられた複数のウインチワイヤー３と、各ウインチワイヤー３をそれぞれ別個に巻回駆動する複数のウインチ４とから構成されている。
【００２４】前記ウインチワイヤー３の天井部での吊下げ設置位置と、天頂部との距離（Ｌ１、Ｌ２、Ｌ３）の差に応じて各ウインチ４の駆動時間に相違を設けることで（即ち、天頂部に近い吊下げ設置位置より順にウインチ４が駆動することで…Ｌ１、Ｌ２、Ｌ３の順）、前記ウインチワイヤー３に設けられたネット等の吊張体５を適切に吊り下げ、吊り上げすることが可能となる。
【００２５】上記ウインチ４の駆動は、例えば制御盤を用いて駆動順、時間等を制御するように構成することも可能である。
【００２６】上記吊張体５としては、シート、ネット、緞帳等一般に使用されているものが該当する。
【００２７】次に上記構成のネット等の吊張体の吊張装置を使用して屋内を区画する場合について説明する。
【００２８】先ず、屋内空間部の区画部分に沿って設置された装置の各ウインチ４を順次駆動してウインチワイヤー３を天井側より床側に下降移動して、吊張体５を連結する。
【００２９】その後、各ウインチ４を前記と逆方向に順次駆動してウインチワイヤー３を巻き取り方向に移動し吊張体５を所定の位置まで上昇移動する。この状態で、吊張体５が空間部を区画することができる。このように、各ウインチワイヤー３を一定の距離移動することで、吊張体５を吊り張りすることができるので、装置の簡易化を可能とする。
【００３０】その後、一時的に区画を解除する場合は、ウインチワイヤー３をさらに上昇移動することで吊張体５のみを天井側に巻き取り移動して、区画を一時的に解除することができる。このため、区画の解除が短時間で可能となる。
【００３１】上記実施例では、複数のウインチ４の始動時間を調整することでウインチワイヤー３の巻き取り移動を制御し円弧状の天井部に適切に吊張体５を吊り張りすることがてきるが、本発明のウインチワイヤー３の巻き取り移動の制御方法はこれに限定するものでなく、例えば、１つのウインチ４に径の相違する複数の巻取ドラム７を設け、該巻取ドラム７の回転駆動によりウインチワイヤー３の巻き取り移動量を自在に制御することも可能である。
【図面の簡単な説明】
【００３２】
【図１】は、本発明の実施例でネット等の吊張体の吊張装置全体を示す概略説明図。
【図２】は、本発明の第２の実施例でネット等の吊張体の吊張装置全体を示す概略説明図
【符号の説明】
【００３３】  ４：ウインチ、  ３：ウインチワイヤー
【図１】
2007044454.tif 000003
【図２】
2007044454.tif 000004